(57)【要約】【課題】絶縁カバーの機能を損なうことなく、計測端子部材を第１、第２端子部の導通部材に導通接続させることのできる中継装置を提供すること。【解決手段】第１回路側の第１電線Ｄ１を接続する第１端子部２１と、第２回路側の第２電線Ｄ２を接続する第２端子部２２と、第１、第２端子部の外面を覆う絶縁カバー１７、１８と、第１、第２端子部間を導通させる導通板２３と、計測機器のワニ口クリップやプローブを接触可能に絶縁カバーから露出させる雄ネジ部２４ａを備えて導通板の中央部に設けられて導通している雄ネジ部材２４と、雄ネジ部材の雄ネジ部に雌ネジを噛み合わせて絶縁性を確保する筒形状の絶縁キャップ２５と、から構築されている。【選択図】図１
2014135225.tif 000002
【特許請求の範囲】
【請求項１】
第１回路側に導通されている第１電線を接続する第１端子部と、第２回路側に導通されている第２電線を接続する第２端子部と、前記第１回路側と前記第２回路側とを接続するように前記第１、第２電線間を導通させるとともに計測機器のリード線先端の計測端子部材を導通接触させる導通部と、少なくとも前記第１、第２端子部の外面を覆って絶縁性を確保する絶縁カバーと、を備える中継装置であって、
前記導通部は、前記第１、第２端子部間を導通させる導通部材と、前記計測機器のリード線先端の計測端子部材を接触可能に前記絶縁カバーから露出するように前記導通部材の前記第１、第２端子部間に設けられて導通している雄形状部材と、前記雄形状部材に内周面の雌形状を噛み合わせて露出箇所を覆う絶縁筒形状部材と、から構築されていることを特徴とする中継装置。
【請求項２】
前記絶縁筒形状部材は、内周面側が導電性材料により構成されて、前記雄形状部材と導通していることを特徴とする請求項１に記載の中継装置。
【請求項３】
前記絶縁筒形状部材は、前記計測端子部材を構成する接続クリップの開口幅よりも肉薄の筒形状に形成されていることを特徴とする請求項２に記載の中継装置。
【請求項４】
前記導通部材は、前記第１端子部側に導通接続されている第１導通部材と、前記第２端子部側に導通接続されている第２導通部材と、から構築されており、
前記第１、第２導通部材は、前記雄形状部材を移動させて弾性変形または弾性復帰して導通接触あるいは導通遮断する形状に作製されていることを特徴とする請求項１から３のいずれか１項に記載の中継装置。
【請求項５】
前記第１、第２端子部は、それぞれが隣接する形態で複数列が並列状態になるように配列されていることを特徴とする請求項１から４のいずれか１項に記載の中継装置。
【発明の詳細な説明】
【技術分野】
【０００１】
本発明は、中継装置に関し、詳しくは、電線の途中に介在させて点検等を可能にする接続用端子が準備されているものに関する。
【背景技術】
【０００２】
定期的に点検等をする必要がある回路途中、例えば、変電所の各種機器（回路）を接続する電線途中には、点検を適宜行なうことができるように、中継装置を介在させる場合がある。
この種の中継装置は、装置（回路）間の電線途中に接続するための第１、第２端子部を並列させている接続端子台を備えており、その接続端子台には、第１、第２端子部に直接触れてしまわないように、絶縁カバーが取り付けられていることから、計測器を接続する場合には、その絶縁カバーを外すか、その絶縁カバーの隙間から差し込んで、プローブやワニ口クリップなどの計測端子部材を導通接触させている。
絶縁カバーを外すのでは、安全性が確保されない。また、隙間からプローブやワニ口クリップを差し込むのでは、隣接する端子部にも接触して短絡させてしまう可能性がある。また、ワニ口クリップの場合には、十分に挟む状態にすることができず、不用意に外れてしまう場合がある。
【０００３】
このことから、絶縁カバーには、第１、第２端子部を導通させる部材に接触させることを可能にする、チェック孔やジャックや導通片などの電極部分を露出させて、計測器のプローブなどを導通接触可能にすることが提案されている（例えば、特許文献１〜３）。
なお、この種の中継装置では、第１、第２端子部間を接離可能な構造に作製して、試験棒を押し込むことにより、第１、第２端子部間を接離させて導通または遮断することを可能にする構造も提案されている（例えば、特許文献４）。
【先行技術文献】
【特許文献】
【０００４】
【特許文献１】特開２００４−１０３２６３号公報
【特許文献２】特開２００７−２９４１１３号公報
【特許文献３】特開２００８−２５１２８５号公報
【特許文献４】特開平１１−１９１４５１号公報
【発明の概要】
【発明が解決しようとする課題】
【０００５】
しかしながら、この特許文献１〜３に記載のような中継装置にあっては、計測器のプローブなどを導通接触させる電極部分が露出していることから、絶縁カバーの機能が損なわれており、不用意に触れて感電してしまう可能性がある。
なお、特許文献４に記載の中継装置にあっては、試験棒は押し込む際にセットする部材であることから紛失してしまう恐れがあり、使い勝手が悪い。
【０００６】
そこで、本発明は、絶縁カバーの機能を損なうことなく、計測端子部材を第１、第２端子部の導通部材に導通接続させることのできる中継装置を提供することを目的としている。
【課題を解決するための手段】
【０００７】
上記課題を解決する中継装置の発明の一態様は、第１回路側に導通されている第１電線を接続する第１端子部と、第２回路側に導通されている第２電線を接続する第２端子部と、前記第１回路側と前記第２回路側とを接続するように前記第１、第２電線間を導通させるとともに計測機器のリード線先端の計測端子部材を導通接触させる導通部と、少なくとも前記第１、第２端子部の外面を覆って絶縁性を確保する絶縁カバーと、を備える中継装置であって、前記導通部は、前記第１、第２端子部間を導通させる導通部材と、前記計測機器のリード線先端の計測端子部材を接触可能に前記絶縁カバーから露出するように前記導通部材の前記第１、第２端子部間に設けられて導通している雄形状部材と、前記雄形状部材に内周面の雌形状を噛み合わせて露出箇所を覆う絶縁筒形状部材と、から構築されていることを特徴とするものである。
【発明の効果】
【０００８】
このように本発明の一態様によれば、装置毎または装置内の第１、第２回路に接続する第１、第２電線（第１、第２端子部）に導通する導通部の導通部材が同電位にあり、その導通部材は、絶縁カバーから露出する雄形状部材に導通している。この雄形状部材は、絶縁筒形状部材に覆われて絶縁性が確保されつつ、その絶縁筒形状部材の内部に計測機器のリード線先端の計測端子部材を差し込むなどすることにより導通接触させることができる。したがって、第１、第２端子部の絶縁性を絶縁カバーと同等に確保しつつ、第１、第２端子部間の電気特性を計測機器で測定することができる。
【図面の簡単な説明】
【０００９】
【図１】図１は、本発明に係る中継装置の第１実施形態の全体構成を示す図であり、（ａ）はその平面図、（ｂ）はその正面から透視立面図である。
【図２】図２は、その計測端子部材を接続する使用状態を説明する図であり、（ａ）は接続準備時の正面からの透視立面図、（ｂ）はその接続時の正面からの透視立面図である。
【図３】図３は、その図２と異なる計測端子部材を接続する使用状態を説明する図であり、（ａ）は接続準備時の正面からの透視立面図、（ｂ）はその接続時の正面からの透視立面図である。
【図４】図４は、その図３に示す計測端子部材との導通接続状態を示す正面からの一部断面立面図である。
【図５】図５は、その図２と図３に示す計測端子部材を接続した状態を示す平面図である。
【図６】図６は、他の態様の要部構成を示す図であり、（ａ）はその縦断面図、（ｂ）はその上面図である。
【図７】図７は、その他の態様での図４に示す計測端子部材との導通接続状態を示す正面からの立面図である。
【図８】図８は、図６と異なる他の態様の要部構成を示す上面図である。
【図９】図９は、図６や図８と異なる他の態様の要部構成を示す上面図である。
【図１０】図１０は、本発明に係る中継装置の第２実施形態の全体構成を示す図であり、その正面から透視立面図である。
【図１１】図１１は、その機能を説明する正面からの透視立面図である。
【発明を実施するための形態】
【００１０】
本発明の実施形態の一態様としては、第１回路側に導通されている第１電線を接続する第１端子部と、第２回路側に導通されている第２電線を接続する第２端子部と、前記第１回路側と前記第２回路側とを接続するように前記第１、第２電線間を導通させるとともに計測機器のリード線先端の計測端子部材を導通接触させる導通部と、少なくとも前記第１、第２端子部の外面を覆って絶縁性を確保する絶縁カバーと、を備える中継装置であって、前記導通部は、前記第１、第２端子部間を導通させる導通部材と、前記計測機器のリード線先端の計測端子部材を接触可能に前記絶縁カバーから露出するように前記導通部材の前記第１、第２端子部間に設けられて導通している雄形状部材と、前記雄形状部材に内周面の雌形状を噛み合わせて露出箇所を覆う絶縁筒形状部材と、から構築されているのに加えて、次の構成を備えてもよい。
【００１１】
第１の他の態様としては、前記絶縁筒形状部材は、内周面側が導電性材料により構成されて、前記雄形状部材と導通していてもよい。
この態様では、絶縁筒形状部材の内周面側に計測機器のリード線先端の計測端子部材を接触させることでも導通させることができる。
第２の他の態様としては、前記絶縁筒形状部材は、前記計測端子部材を構成する接続クリップの開口幅よりも肉薄の筒形状に形成されていてもよい。
この態様では、絶縁筒形状部材の筒形状を接続クリップ（計測端子部材）に挟み込ませて、その内周面側に接触させて接続状態を保持することもできる。
【００１２】
第３の他の態様としては、前記導通部材は、前記第１端子部側に導通接続されている第１導通部材と、前記第２端子部側に導通接続されている第２導通部材と、から構築されており、前記第１、第２導通部材は、前記雄形状部材を移動させて弾性変形または弾性復帰して導通接触あるいは導通遮断する形状に作製されていてもよい。
この態様では、導通部材は、第１、第２導通部材で構成して、雄形状部材を押し込むなど移動させることで弾性変形または弾性復帰させて導通状態を接断することができ、一方側のみの電気特性を計測器で測定することができる。
【００１３】
第４の他の態様としては、前記第１、第２端子部は、それぞれが隣接する形態で複数列が並列状態になるように配列されていてもよい。
この態様では、複数経路を中継することができ、その中継経路毎の電気特性を計測器でそのまま測定することができる。
【００１４】
以下、図面を参照して、本発明の実施形態について詳細に説明する。図１〜図５は本発明に係る中継装置の第１実施形態を示す図である。
図１において、中継装置１０は、例えば、発変電所内に設置されている不図示の第１、第２装置（回路）毎に接続する第１、第２電線Ｄ１、Ｄ２を接続して導通状態を確保するようになっており、接続する装置間の電力や電気信号をそのまま伝達して中継する機能を備えている。
この中継装置１０は、絶縁性を有する接続端子台１１に、導電材料よりなる第１端子部２１、第２端子部２２、導通板（導通部材）２３、および雄ネジ部材（雄形状部材）２４と共に、絶縁キャップ（絶縁筒形状部材）２５を一組として、これらを直線的に配列しており、これらの複数列を並列させた状態のうちの第１、第２端子部２１、２２をそれぞれ絶縁カバー１７、１８で覆うことにより構築されている。
【００１５】
接続端子台１１は、第１端子部２１などの並列方向（長手方向）と平行な両長尺端辺１１ａ側に、第１、第２端子部２１、２２をネジ止めするネジ孔１３、１４がその並列数分だけそれぞれ形成されており、そのネジ孔１３、１４を覆うように絶縁カバー１７、１８の両端部１７ａ、１８ａを両短尺端辺１１ｂに着脱可能に嵌め込むようにして絶縁性を確保するようになっている。
第１、第２端子部２１、２２は、第１、第２電線Ｄ１、Ｄ２の端部に接続されている市販の所謂、丸型コネクタ端子Ｔを接続可能な構造に構築されており、ネジ孔１３、１４に噛み合い固定するネジＮで丸型コネクタ端子Ｔのそれぞれをネジ止めするようになっている。
導通板２３は、ネジ孔１３、１４を両端部で覆う程度の長さに導電性金属を加工することにより作製されており、その両端部にネジＮを貫通させる貫通孔２３ａが開口している。すなわち、第１、第２端子部２１、２２は、導通板２３の両端部のそれぞれが構成しており、その両端部に丸型コネクタ端子Ｔをネジ止めして導通接続するようになっている。
これにより、中継装置１０は、導通板２３の両端部の第１、第２端子部２１、２２を挟み込むように接続端子台１１のネジ孔１３、１４にネジＮでネジ止めすることにより、第１、第２装置間を導通接続することができ、第１、第２端子部２１、２２の列毎に接続する複数の装置・回路間（複数経路）の電力や電気信号を中継することができる。
【００１６】
雄ネジ部材２４は、導通板２３の中間部に立設されており、先端部側に形成されている雄ネジ部２４ａ（図２を参照）が絶縁カバー１７、１８の間で露出するように設置されている。
絶縁キャップ２５は、絶縁性を有する樹脂材料を筒形状に形成することにより作製されており、内筒部２５ａの内周面に雄ネジ部材２４の雄ネジ部２４ａを途中まで噛み合い進入させることができる雌ネジ部（雌形状）２５ｂが形成されている。
【００１７】
なお、第１、第２端子部２１、２２間でリブ形状に立設されている遮蔽板２７、２８は、それぞれ第１、第２端子部２１、２２と雄ネジ部材２４の双方に導通接触することを制限して短絡事故などを未然に防止するように、絶縁カバー１７、１８（導通板２３側でもよい）と一体に形成されている。
【００１８】
これにより、中継装置１０は、雄ネジ部材２４を絶縁キャップ２５で露出させないようにして絶縁性を確保しつつ第１、第２端子部２１、２２（第１、第２装置）間を導通接続して信号等を中継することができる。
また、この中継装置１０は、図２に示すように、絶縁キャップ２５を雄ネジ部材２４から外すことにより、その雄ネジ部２４ａを絶縁カバー１７、１８間で露出させることができる。このため、例えば、装置間を中継される電力や電気信号の電気的特性を計測する場合には、計測機器（不図示）のリード線Ｌ先端のワニ口クリップ（計測端子部材）Ｃをその雄ネジ部２４ａに外れないように信頼性高く挟ませて導通接触させ接続することができる。なお、このワニ口クリップＣは、導通接触させる電極部材Ｃ１の外面側を絶縁材料で覆って絶縁性を確保する構造になっている。
また、この中継装置１０は、図３に示すように、絶縁キャップ２５を着けたままでも、その内筒部２５ａ（図４を参照）内に計測機器のリード線Ｌ先端のプローブ（計測端子部材）Ｐを差し込むことにより、図４に示すように、そのプローブＰの先端を雄ネジ部２４ａに導通接触させて接続することもできる。なお、このプローブＰＣは、導通接触させる電極部材Ｐ１の後端部側に把持操作する絶縁部材Ｐ２を備えている。
【００１９】
したがって、中継装置１０は、絶縁カバー１７、１８をわざわざ取り外すことなく、また、絶縁カバー１７、１８と接続端子台１１との間の隙間に差し込むことなく、図５に示すように、計測機器のワニ口クリップＣやプローブＰを絶縁キャップ２５内の雄ネジ部材２４に接続することができ、絶縁カバー１７、１８下の第１、第２端子部２１、２２間（導通板２３）で接続中継する、装置間における電気的特性の測定を容易かつ安全に行うことができる。
【００２０】
ここで、本実施形態では、絶縁キャップ２５の全体を絶縁材料で作製する場合を一例にして説明するが、これに限るものではなく、例えば、図６に示すように、内筒部２５ａの雌ネジ部２５ｂを含む内周面側に導電性材料からなる導電円筒部材３５を埋め込んでもよい。この場合には、絶縁キャップ２５は、筒形状の厚さをワニ口クリップ（接続クリップ）Ｃの開口幅よりも小さめに形成する。これにより、図７に示すように、絶縁キャップ２５を外すことなく、その内筒部２５ａ内にワニ口クリップ（接続クリップ）Ｃの電極部材Ｃ１の一方を差し込んで挟み込むことにより導電円筒部材３５に導通接触させる接続状態にすることができる。
【００２１】
また、この絶縁キャップ２５は、円筒形状に限らず、多角形の角筒形状、例えば、図８に示すように、四角形の角筒形状の絶縁キャップ２５´としてもよい。また、絶縁キャップ２５の内筒部２５ａは、円形に限らず、異形に開口させてもよく、例えば、図９に示すように、内部の導電円筒部材３５が開口形状２５ｃよりも内方に位置する形状に形成してもよい。これにより、絶縁キャップ２５を外すことなく、その内筒部２５ａ内に差し込むワニ口クリップＣの電極部材Ｃ１の一方を導電円筒部材３５に導通接触させ易くすることができる。
【００２２】
次に、図１０および図１１は本発明に係る中継装置の第２実施形態を示す図である。ここで、本実施形態は、上述実施形態と同様に構成されていることから、同様の構成には同一の符号を付して特徴部分を説明する。
図１０において、中継装置４０は、一体の導通板２３を２分割した第１、第２導通板４１、４５が取り付けられているとともに、固定状態の雄ネジ部材２４を移動可能にした押込雄ネジ部材４７が取り付けられている。また、この中継装置４０では、第１、第２端子部２１、２２と押込雄ネジ部材４７の双方との導通接触を制限するように遮蔽板２７、２８を一体形状にした遮蔽板５５、５６を備えている。
【００２３】
第１導通板４１は、端部に接続端子台１１のネジ孔１３にネジ止めするネジＮを貫通する貫通孔４１ａが開口して、第１端子部２１を構成している。この第１導通板４１の貫通孔４１ａの反対側には、第２端子部２２に向かって延長された後に屈折して対面する対面部４２を備えている。第１導通板４１の対面部４２は、背面側にスプリング４３が設置されて対面方向に付勢されており、接続端子台１１の底面にリブ形状に立設されている離隔板４９に圧接している。
第２導通板４５は、端部に接続端子台１１のネジ孔１４にネジ止めするネジＮを貫通する貫通孔４５ａが開口して第２端子部２２を構成している。この第２導通板４５の貫通孔４５ａの反対側には、第１端子部２１に向かって延長された後に屈折して対面する対面部４６を備えている。第２導通板４５の対面部４６は、接続端子台１１底面の離隔板４９に第１導通板４１の反対側から接触する状態に固定されている。
【００２４】
押込雄ネジ部材４７は、上述実施形態と同様に、絶縁キャップ２５を取り付ける雄ネジ部４７ａ（不図示）を一端側に備えるとともに、反対側の他端部には、接続端子台１１底面の離隔板４９の厚さよりも大きな外径に形成されている円柱形状の圧接部４７ｂを備えている。この押込雄ネジ部材４７は、圧接部４７ｂの上側に円環形状の突起４７ｃが形成されている。
遮蔽板５５、５６は、押込雄ネジ部材４７の軸部４７ｄを貫通孔５７ａに上下動自在に貫通させて支持する連結板５７が一体形成されている。この連結板５７は、下側から上側に位置するように貫通孔５７ａ内を通過する押込雄ネジ部材４７の突起４７ｃをその貫通孔５７ａの周縁で降下しないように支持するようになっている。
【００２５】
これにより、中継装置４０は、押込雄ネジ部材４７の突起４７ｃが連結板５７の貫通孔５７ａよりも接続端子台１１の底面側に位置する場合には、その押込雄ネジ部材４７の圧接部４７ｂが離隔板４９の近傍に位置する。この状態では、押込雄ネジ部材４７の圧接部４７ｂは、スプリング４３により付勢される第１導通板４１の対面部４２に押されて（対面部４２を弾性変形させるように圧接部４７ｂを押し込むことにより弾性復帰するのに押されて）第２導通板４５の対面部４６に圧接させることができ、第１、第２導通板４１、４５を導通状態にして第１、第２装置間を導通接続することができる。
また、中継装置４０は、図１１に示すように、押込雄ネジ部材４７の突起４７ｃが連結板５７の貫通孔５７ａの上側に位置するように引き上げる場合には、圧接部４７ｂを第２導通板４５の対面部４６から離隔させることができる。この状態では、第１、第２導通板４１、４５の間の導通を遮断しつつ、押込雄ネジ部材４７の圧接部４７ｂに接触して第１導通板４１（第１端子部２１）に導通する第１装置の電気的特性を第１電線Ｄ１を介して測定することができる。
【００２６】
したがって、中継装置４０は、上述実施形態と同様に、絶縁カバー１７、１８をわざわざ取り外すことなく、また、絶縁カバー１７、１８と接続端子台１１との間の隙間に差し込むことなく、計測機器のワニ口クリップＣやプローブＰを絶縁キャップ２５内の押込雄ネジ部材４７に接続することができ、絶縁カバー１７、１８下の第１、第２端子部２１、２２（第１、第２導通板４１、４５）で接続中継する、装置間における電気的特性の測定を容易かつ安全に行うことができる。
【００２７】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００２８】
１０、４０    中継装置
１１   接続端子台
１７、１８    絶縁カバー
２１、２２    端子
２３、４１、４５     導通板
２４   雄ネジ部材
２４ａ、４７ａ       雄ネジ部
２５   絶縁キャップ
２５ｂ 雌ネジ部
２７、２８、５５、５６      遮蔽板
３５   導電円筒部材
４２、４６    対面部
４３   スプリング
４７   押込雄ネジ部材
４７ｂ 圧接部
４７ｃ 突起
４７ｄ 軸部
４９   離隔板
５６ａ 支持部
５７   連結板
Ｃ     ワニ口クリップ
Ｄ１、Ｄ２    電線
Ｎ     ネジ
Ｐ     プローブ
【図１】
2014135225.tif 000003
【図２】
2014135225.tif 000004
【図３】
2014135225.tif 000005
【図４】
2014135225.tif 000006
【図５】
2014135225.tif 000007
【図６】
2014135225.tif 000008
【図７】
2014135225.tif 000009
【図８】
2014135225.tif 000010
【図９】
2014135225.tif 000011
【図１０】
2014135225.tif 000012
【図１１】
2014135225.tif 000013